(57)【要約】【課題】記入された個人情報等の上に容易に筆記または印字でき、また、見開き葉書等のリサイクル性を確保でき、しかも透明層同士が安定に擬似接着された両面粘着シートおよび剥離シート付き両面粘着シートを提供する。【解決手段】本発明の両面粘着シート１０は、一対の光透過性紙基材１１ａ，１１ｂと一対の光透過性紙基材１１ａ，１１ｂ同士を剥離可能にかつ再貼着不能に接着している擬似接着層１１ｃとを有する擬似接着積層シート１１、および擬似接着積層シート１１の両面に設けられた粘着剤層１２ａ，１２ｂを備え、擬似接着積層シート１０の擬似接着層１１ｃがウェットラミネート法により形成されている。本発明の剥離シート付き両面粘着シート１は、上記両面粘着シート１０と、両面粘着シート１０の一方又は両方の粘着剤層１２ａ，１２ｂに積層された剥離シート２０ａ，２０ｂとを備える。【選択図】図２
2008007535.tif 000002
【特許請求の範囲】
【請求項１】
一対の光透過性紙基材と該一対の光透過性紙基材同士を剥離可能にかつ再貼着不能に接着している擬似接着層とを有する擬似接着積層シート、および該擬似接着積層シートの両面に設けられた粘着剤層を備え、
擬似接着積層シートの擬似接着層がウェットラミネート法により形成されていることを特徴とする両面粘着シート。
【請求項２】
請求項１に記載の両面粘着シートと、該両面粘着シートの一方又は両方の粘着剤層に積層された剥離シートとを備えることを特徴とする剥離シート付き両面粘着シート。
【発明の詳細な説明】
【技術分野】
【０００１】
本発明は、例えば見開き葉書を閉じる際などに使用される両面粘着シートおよび剥離シート付き両面粘着シートに関する。
【背景技術】
【０００２】
近年、記載できる情報量が多く、また、個人情報等を隠蔽できることから、二つ折り等の見開き葉書が広く利用されている。
二つ折りの見開き葉書は、差出人側にて、二つ折りによって内側になる面（以下、内側面という。）に個人情報等が記入される見開き葉書用基材と、見開き葉書用基材の内側面同士を見開き可能に貼着する両面粘着シートとを備えるものである。
両面粘着シートとしては、例えば、特許文献１，２に、透明層である透明樹脂フィルムの２層が、剥離可能にかつ再貼着不能に接着され（この接着のことを擬似接着という。）、各透明樹脂フィルムの外側の面に粘着剤層が設けられたものが記載されている。この場合の擬似接着は、ドライラミネート法や押し出しラミネート法により行われている。
上記両面粘着シートを備える見開き葉書は、差出人側にて、両面粘着シートにより閉じられ、受取人側にて、両面粘着シートの透明樹脂フィルム同士をそれらの界面にて剥離させることにより開かれる。見開き葉書が開かれた状態では、透明樹脂フィルムおよび粘着剤層を通して見開き葉書用基材に記入された個人情報等を読み取ることができる。
【特許文献１】特開平０７−１７９０８２号公報
【特許文献２】特開平１１−２４０２７８号公報
【発明の開示】
【発明が解決しようとする課題】
【０００３】
ところで、企業等では、記入された個人情報にさらに情報を補充したり、記入漏れを埋めたりすることがあるため、個人情報の記載の上に筆記または印字できることが求められる。この要求に対し、特許文献１，２の両面粘着シートでは、見開き葉書を開いた際に露出する透明樹脂フィルムの表面に、あらかじめマット処理を施す方法や無機物を塗布する方法等が採られている。しかし、透明樹脂フィルムの表面にあらかじめマット処理を施したり、無機物を塗布したりしても、充分な筆記性または印字性が確保されておらず、記入された個人情報の上に容易に筆記または印字できなかった。特に、水性インキによる筆記または印字に適しておらず、例えば、インクジェット記録方式による印字が困難であった。
また、近年、環境保護の観点から、リサイクル性が高いことが求められているが、特許文献１，２に記載の両面粘着シートを用いた場合には、見開き葉書に透明樹脂フィルムが残るため、見開き葉書のリサイクル性が損なわれた。
そこで、透明層として、透明樹脂フィルムの代わりに光透過性紙基材を使用することが考えられるが、光透過性紙基材同士をドライラミネートにより貼着すると、剥離力が不安定になるため、光透過性紙基材同士を安定に擬似接着することは困難であった。
本発明は、前記事情を鑑みてなされたものであり、記入された個人情報等の上に容易に筆記または印字でき、また、見開き葉書等のリサイクル性を確保でき、しかも透明層同士が安定に擬似接着された両面粘着シートおよび剥離シート付き両面粘着シートを提供することを目的とする。
【課題を解決するための手段】
【０００４】
本発明は、以下の構成を包含する。
［１］  一対の光透過性紙基材と該一対の光透過性紙基材同士を剥離可能にかつ再貼着不能に接着している擬似接着層とを有する擬似接着積層シート、および該擬似接着積層シートの両面に設けられた粘着剤層を備え、
擬似接着積層シートの擬似接着層がウェットラミネート法により形成されていることを特徴とする両面粘着シート。
［２］  ［１］に記載の両面粘着シートと、該両面粘着シートの一方又は両方の粘着剤層に積層された剥離シートとを備えることを特徴とする剥離シート付き両面粘着シート。
【発明の効果】
【０００５】
本発明の両面粘着シートおよび剥離シート付き両面粘着シートは、記入された個人情報等の上に容易に筆記または印字でき、また、見開き葉書等のリサイクル性を確保でき、しかも透明層同士が安定に擬似接着されている。
【発明を実施するための最良の形態】
【０００６】
「両面粘着シート」
本発明の両面粘着シートの一実施形態について説明する。
図１に、本実施形態の両面粘着シートを示す。この両面粘着シート１０は、擬似接着積層シート１１と、擬似接着積層シート１１の両面に設けられた第１の粘着剤層１２ａおよび第２の粘着剤層１２ｂとを備えるものである。
以下、本実施形態の両面粘着シートの各構成について詳述する。
【０００７】
（擬似接着積層シート）
擬似接着積層シート１１は、第１の光透過性紙基材１１ａと、第２の光透過性紙基材１１ｂと、第１の光透過性紙基材１１ａおよび第２の光透過性紙基材１１ｂを剥離可能にかつ再貼着不能に接着している擬似接着層１１ｃとを有するものである。
【０００８】
［光透過性紙基材］
擬似接着積層シート１１を構成する第１の光透過性紙基材１１ａおよび第２の光透過性紙基材１１ｂは、パルプを主体とした基材であり、光透過性を有するものである。ここで、「光透過性」とは、可視光透過性のことであり、見開き葉書に記入された情報が視認可能であることを意味する。具体的には、「光透過性」とは、ヘイズ値が９０％以下、特に３０〜８０％であることをいう。
第１の光透過性紙基材１１ａおよび第２の光透過性紙基材１１ｂの具体例としては、グラシン紙、パルプ含有量が５１質量％以上の樹脂含浸紙、低米坪紙、硫酸紙、透明化剤処理紙等が挙げられる。
上記第１の光透過性紙基材１１ａおよび第２の光透過性紙基材１１ｂの具体例の中でも、透明性およびリサイクル性の点から、グラシン紙が好ましく、グラシン紙の中でも密度が０．８５ｇ／ｍ３以上のものが好ましい。密度が０．８５ｇ／ｍ３のグラシン紙であれば、強度が強く、破れにくい。
第１の光透過性紙基材１１ａと第２の光透過性紙基材１１ｂとは、同じものを使用してもよいし、異なるものを使用してもよい。
【０００９】
［擬似接着層］
擬似接着層１１ｃは、ウェットラミネート法により形成されているものである。ここで、ウェットラミネート法とは、２枚の基材を完全に乾燥されていない接着剤を介して積層した後、接着剤を適宜乾燥して貼り合わせる方法のことである。
【００１０】
擬似接着層１１ｃには、接着成分として、擬似接着可能で、ウェットラミネート法の適用が可能な各種擬似接着剤が含まれる。
擬似接着剤としては、例えば、天然ゴム、合成ゴム等のゴム系粘着剤；アクリル酸および／またはアクリル酸エステルを主なモノマー成分として含有するアクリル系粘着剤；酢酸ビニル重合体、エチレン−酢酸ビニル共重合体（ＥＶＡ）等の酢酸ビニルを主なモノマー成分として含有する酢酸ビニル系粘着剤；澱粉、アルギン酸ナトリウム等の多糖系粘着剤やデキストリン系粘着剤等の水溶性接着剤などが使用できる。
これらの中でも、ゴム系、アクリル系、酢酸ビニル系、デキストリン系の粘着剤が、接着性を任意に幅広くコントロールできるため好ましく、接着強度等を考慮して適宜選択される。さらに、ウェットラミネート法を容易に適用できることから、酢酸ビニル系および／またはデキストリン系の粘着剤がより好ましい。
擬似接着層１１ｃ中の擬似接着剤の含有量は、１０〜１００質量％が好ましく、２０〜８０質量％がより好ましい。
【００１１】
また、擬似接着層１１ｃは、さらに接着力調節剤を含有することが好ましい。接着力調節剤は、擬似接着層１１ｃ中に分散し、擬似接着層１１ｃの凝集力を低減させるものである。擬似接着層１１ｃ中に接着力調節剤を含有させて、擬似接着層１１ｃの凝集力を低減すれば、第１の光透過性紙基材１１ａと第２の光透過性紙基材１１ｂとがより剥離しやすくなる。
接着力調節剤としては、ポリエチレンワックス等のワックス類、金属石鹸、無機顔料および有機顔料等が挙げられる。
擬似接着層１１ｃ中の接着力調節剤の含有量は、第１の光透過性紙基材１１ａと第２の光透過性紙基材１１ｂとの接着強度や擬似接着層１１ｃの凝集力等を考慮して適宜決定されるが、０〜９０質量％であることが好ましく、５〜８５質量％であることがより好ましく、２０〜８０質量％であることが特に好ましい。
【００１２】
擬似接着層１１ｃにおける第１の光透過性紙基材１１ａと第２の光透過性紙基材１１ｂの間の接着強さは、ＪＩＳ  Ｋ  ６８５４−３に規定されるＴ形剥離試験法に準拠して、５０〜１０００ｍＮ／２５ｍｍ（剥離速度３００ｍｍ／分）であることが好ましく、さらに、８０〜６００ｍＮ／２５ｍｍ（剥離速度３００ｍｍ／分）であることがより好ましい。
Ｔ形剥離試験法による接着強さが５０ｍＮ／２５ｍｍ以上であれば、第１の光透過性紙基材１１ａと第２の光透過性紙基材１１ｂとを剥離しないときには第１の光透過性紙基材１１ａと第２の光透過性紙基材１１ｂとを確実に接着できる。またＴ形剥離試験法による接着強さが１０００ｍＮ／２５ｍｍ以下であれば、第１の光透過性紙基材１１ａと第２の光透過性紙基材１１ｂとを剥がす際に、第１の光透過性紙基材１１ａと第２の光透過性紙基材１１ｂとが確実に剥離するため、第１の光透過性紙基材１１ａおよび／または第２の光透過性紙基材１１ｂが破損しにくくなる。
Ｔ形剥離試験法による接着強さは、使用される擬似接着剤の種類やそれに基づく浸透性、塗布量、塗布してから貼り合わせるまでの時間、乾燥温度などによって適宜調節することができる。
【００１３】
ここで、ＪＩＳ  Ｋ  ６８５４−３に規定されるＴ形剥離試験法による接着強さは以下の手順で測定できる。すなわち、試料を２３℃、５０％ＲＨの環境下に２４時間以上放置した後、引張試験機などにより、３００ｍｍ／分の剥離速度で剥離試験を行う。接着強さは試験サンプル巾２５ｍｍあたりで示される。
【００１４】
（粘着剤層）
第１の粘着剤層１２ａおよび第２の粘着剤層１２ｂを構成する粘着剤としては特に制限されず、例えば、天然ゴム系粘着剤、合成ゴム系粘着剤、アクリル系粘着剤、ウレタン系粘着剤、シリコーン系粘着剤などが使用される。また、溶剤系、エマルジョン系、水系のいずれであってもよい。
粘着剤の中でも、可視光に対する光透過性の点から、溶剤型のアクリル系粘着剤、ウレタン系粘着剤、シリコーン系粘着剤が好ましい。
粘着剤には、必要に応じて他の助剤が添加されてもよい。他の助剤としては、増粘剤、ｐＨ調整剤、タッキファイヤ、バインダ、架橋剤、粘着性微粒子、消泡剤、防腐防黴剤、顔料、無機充填剤、安定剤、濡れ剤、湿潤剤などが挙げられる。
第１の粘着剤層１２ａと第２の粘着剤層１２ｂとは、同じものを使用してもよいし、異なるものを使用してもよい。
【００１５】
「剥離シート付き両面粘着シート」
次に、本実施形態の剥離シート付き両面粘着シートの一実施形態について説明する。
図２に、本実施形態の剥離シート付き両面粘着シートを示す。この剥離シート付き両面粘着シート１は、上記両面粘着シート１０と、両面粘着シート１０の第１の粘着剤層１２ａに積層された第１の剥離シート２０ａと、第２の粘着剤層１２ｂに積層された第２の剥離シート２０ｂとを備えるものである。
【００１６】
（剥離シート）
第１の剥離シート２０ａおよび第２の剥離シート２０ｂとしては、例えば、剥離シート用基材と、剥離シート用基材の第１の粘着剤層１２ａまたは第２の粘着剤層１２ｂ側に設けられた剥離剤層とを有するものが挙げられる。
剥離シート用基材としては、例えば、上質紙、グラシン紙などの紙類、ポリエチレンテレフタレートフィルムやポリプロピレンフィルムなどのプラスチックフィルム類などが挙げられる。
剥離剤層を構成する剥離剤としては、例えば、汎用の付加型もしくは縮合型のシリコーン系剥離剤や長鎖アルキル基含有化合物が用いられる。特に、反応性が高い付加型シリコーン系剥離剤が好ましく用いられる。
シリコーン系剥離剤としては、具体的には、東レ・ダウコーニングシリコーン社製のＢＹ２４−４５２７、ＳＤ−７２２０等や、信越化学工業（株）製のＫＳ−３６００、ＫＳ−７７４、Ｘ６２−２６００などが挙げられる。また、シリコーン系剥離剤中にＳｉＯ２単位と（ＣＨ３）３ＳｉＯ１／２単位あるいはＣＨ２＝ＣＨ（ＣＨ３）ＳｉＯ１／２単位を有する有機珪素化合物であるシリコーンレジンを含有することが好ましい。シリコーンレジンの具体例としては、東レ・ダウコーニングシリコーン社製のＢＹ２４−８４３、ＳＤ−７２９２、ＳＨＲ−１４０４等や、信越化学工業（株）製のＫＳ−３８００、Ｘ９２−１８３等が挙げられる。
第１の剥離シート２０ａと第２の剥離シート２０ｂとは、同じものを使用してもよいし、異なるものを使用してもよい。
【００１７】
（製造方法）
剥離シート付き両面粘着シート１の製造方法の一例について説明する。
本製造例では、例えば、まず、第１の光透過性紙基材１１ａの片面に擬似接着剤塗布液を塗布し、必要に応じて、一部の水分を除去して、擬似接着層１１ｃとなる塗布層を形成する。
ここで、擬似接着剤塗布液としては、例えば、上記擬似接着剤が水に溶解または分散されているもの（例えば、溶液、エマルジョン、スラリー）が挙げられる。複数の擬似接着剤を混合する場合には、擬似接着剤の水溶液、エマルジョン、スラリーを混合することで擬似接着剤塗布液を調製できる。擬似接着剤塗布液中の全固形分濃度は、１０〜７０質量％であることが好ましく、２０〜６０質量％であることがより好ましい。擬似接着剤液中の全固形分濃度が１０〜７０質量％であれば、塗布液の第１の光透過性紙基材１１ａへのしみ込み等が少なく、得られる擬似接着層１３の剥離安定性がより高くなる。
擬似接着剤塗布液の塗布方法としては、例えば、ブレードコーター、エアナイフコーター、ロールコーター、バーコーター、グラビアコーター、ロッドブレードコーター、リップコーター、ダイコーター、カーテンコーター等を用いた塗布が挙げられる。
擬似接着剤塗布液の塗布量は、乾燥塗布量として０．５〜１０ｇ／ｍ２であることが好ましく、１〜５ｇ／ｍ２であることがより好ましい。擬似接着剤塗布液の塗布量が、乾燥塗布量として０．５ｇ／ｍ２以上であれば、得られる擬似接着層１１ｃが充分に擬似接着性を有し、１０ｇ／ｍ２以下であれば、剥離後に、記入された個人情報等の上に筆記または印字することが容易になる。
【００１８】
次いで、擬似接着層１１ｃとなる塗布層上に第２の光透過性紙基材１１ｂを積層した後、必要に応じて、乾燥して水分を完全に除去し、擬似接着層１１ｃを形成して、擬似接着積層シート１１を得る。乾燥方法としては、例えば、熱風による乾燥、赤外線照射による乾燥などが挙げられる。
【００１９】
次いで、擬似接着積層シート１１の両面に粘着剤を各々塗布し、乾燥して、第１の粘着剤層１２ａおよび第２の粘着剤層１２ｂを設けて、両面粘着シート１０を得る。そして、両面粘着シート１０の第１の粘着剤層１２ａに第１の剥離シート２０ａを積層し、第２の粘着剤層１２ｂに第２の剥離シート２０ｂを積層して、剥離シート付き両面粘着シート１を得る。
【００２０】
剥離シート付き両面粘着シート１は上記製造例以外の方法で製造することもできる。
剥離シート付き両面粘着シート１の他の製造例では、まず、第２の剥離シート２０ｂ上に第２の粘着剤層１２ｂを設け、第２の粘着剤層１２ｂに第２の光透過性紙基材１１ｂを貼着する。次いで、第２の光透過性紙基材１１ｂに擬似接着剤塗布液を塗布して擬似接着層１１ｃとなる塗布層を形成し、該塗布層に第１の光透過性紙基材１１ａを貼り合わせた後、乾燥して、擬似接着層１１ｃを形成する。そして、第１の光透過性紙基材１１ａに第１の粘着剤層１２ａと第１の剥離シート２０ａとを順次設けて、剥離シート付き隠蔽用シール１を製造する。
また、剥離シート付き両面粘着シート１は、第１の剥離シート２０ａ上に第１の粘着剤層１２ａを設けた粘着シート、第２の剥離シート２０ｂ上に第２の粘着剤層１２ｂを設けた粘着シートを作製し、その粘着シートを、第１の粘着剤層１２ａまたは第２の粘着剤層１２ｂにより、擬似接着積層シート１１の両側の面に各々貼着して製造してもよい。
【００２１】
（使用方法）
上記剥離シート付き両面粘着シート１の使用方法の一例について説明する。なお、この使用例は、上記剥離シート付き両面粘着シート１により見開き葉書用基材を擬似接着状態に閉じて二つ折りの見開き葉書を作製する例である。
本使用例では、まず、差出人である顧客が、見開き葉書用基材２ａの内側面２ｂに設けられた記入欄２ｃに個人情報等を記入する。次いで、剥離シート付き両面粘着シート１の第２の剥離シート２０ｂを第２の粘着剤層１２ｂから剥離して、第２の粘着剤層１２ｂを露出させる。そして、その露出した第２の粘着剤層１２ｂにより、記入欄２ｃを覆うように、第１の剥離シート２０ａが残った剥離シート付き両面粘着シート１ａを貼着する（図３参照）。次いで、第１の剥離シート２０ａを両面粘着シート１０から剥離して、第１の粘着剤層１２ａを露出させる。
次いで、図４に示すように、見開き葉書用基材２ａを折り返し線Ｌにて折り返し、内側面２ｂの両面粘着シート１０が貼着されていない部分２ｄを第１の粘着剤層１２ａに貼着する。これにより、図５に示すような、両面粘着シート１０により閉じられて、個人情報等が隠蔽された見開き葉書２を得る。そして、その状態で、受取人である企業等に見開き葉書２を郵送する。
一方、両面粘着シート１０により閉じられた見開き葉書２を受け取った企業等では、見開き葉書用基材２ａの第１の粘着剤層１２ａに貼着された部分２ｅ（図５参照）をつまみ、第２の粘着剤層１２ｂに貼着された部分２ｆ（図５参照）から引き剥がす。これにより、擬似接着層１１ｃを層間剥離させ、図６に示すように、見開き葉書２を開いた状態にする。そして、見開き葉書２を開いた状態にて、第２の光透過性紙基材１１ｂおよび第２の粘着剤層１２ｂを通して記入欄２ａに記入された個人情報等を読み取る。また、必要に応じて、記入された個人情報等の上に筆記または印字する。
なお、見開き葉書２が開かれた状態では、第１の光透過性紙基材１１ａおよび第２の光透過性紙基材１１ｂの上に、層間剥離した擬似接着層が残っているが、通常、第１の光透過性紙基材１１ａおよび第２の光透過性紙基材１１ｂの上に残った擬似接着層は薄いため、記入された個人情報等の上への筆記または印字にほとんど影響がない。
【００２２】
剥離シート付き両面粘着シート１の使用方法は上記二つ折り見開き葉書に適用する例に限定されず、剥離シート付き両面粘着シート１は、三つ折りの見開き葉書、四つ折りの見開き葉書などにも適用できる。また、剥離シート付き両面粘着シート１は、見開き葉書に限らず、二つ以上に折り返される用紙（例えば、アンケート用紙等）などにも適用できる。
【００２３】
上述した実施形態の剥離シート付き両面粘着シート１では、見開き葉書等に残るものが紙基材であるため、容易に筆記または印字できる。特に、水性インキによる筆記または印字も可能であり、インクジェット記録方式により容易に印字できる。また、剥離シート付き両面粘着シートを用いれば、見開き葉書等のリサイクル性を確保できる。さらに、紙基材であるため、手破り性に優れ、容易に手で破いて廃棄できる。
また、第１の光透過性紙基材１１ａと第２の光透過性紙基材１１ｂとが擬似接着層１１ｃにより接着されており、第１の光透過性紙基材１１ａと第２の光透過性紙基材１１ｂとを一旦剥離すると、再貼着不能であるため、第三者がこれらを剥離した場合には証拠が残る。したがって、剥離シート付き両面粘着シート１が見開き葉書を閉じる際に使用された場合には、見開き葉書が閉じられたまま企業等に送られたことで、第三者に個人情報が見られていないことを確認できる。また、第三者が、見開き葉書を不正に開くことを抑止できる。
また、擬似接着層１１ｃがウェットラミネート法により形成されたものであるため、安定な擬似接着性を有する。そのため、見開き葉書２等を開くときの剥離力が安定する。これは、見開き葉書２等を開く際には擬似接着層１１ｃにて層間剥離が生じるため、擬似接着層１１ｃと第１の光透過性紙基材１１ａおよび第２の光透過性紙基材１１ｂとの接着性が、第１の光透過性紙基材１１ａと第２の光透過性紙基材１１ｂとの剥離における剥離力に影響を及ぼしにくいためであると思われる。
【００２４】
なお、上述した剥離シート付き両面粘着シート１では、第１の粘着剤層１２ａおよび第２の粘着剤層１２ｂの両方に剥離シートが積層されていたが、一方の粘着剤層のみに剥離シートが積層された形態であっても構わない。
【図面の簡単な説明】
【００２５】
【図１】本発明の両面粘着シートの一実施形態を示す断面図である。
【図２】本発明の剥離シート付き両面粘着シートの一実施形態を示す断面図である。
【図３】本発明の両面粘着シートを使用する方法の一例を説明する図であって、両面粘着シートを見開き葉書用基材に貼着する態様を示す平面図である。
【図４】本発明の両面粘着シートを使用する方法の一例を説明する図であって、見開き葉書用基材の両面粘着シートが貼着されていない部分を、両面粘着シートに貼着する態様を示す平面図である。
【図５】本発明の両面粘着シートを使用する方法の一例を説明する図であって、両面粘着シートにより見開き葉書が閉じられた状態を示す断面図である。
【図６】本発明の両面粘着シートを使用する方法の一例を説明する図であって、見開き葉書が開かれた状態を示す平面図である。
【符号の説明】
【００２６】
１  剥離シート付き両面粘着シート
２  見開き葉書
２ａ  見開き葉書用基材
２ｂ  内側面
２ｃ  記入欄
１０  両面粘着シート
１１  擬似接着積層シート
１１ａ  第１の光透過性紙基材
１１ｂ  第２の光透過性紙基材
１１ｃ  擬似接着層
１２ａ  第１の粘着剤層
１２ｂ  第２の粘着剤層
２０ａ  第１の剥離シート
２０ｂ  第２の剥離シート
【図１】
2008007535.tif 000003
【図２】
2008007535.tif 000004
【図３】
2008007535.tif 000005
【図４】
2008007535.tif 000006
【図５】
2008007535.tif 000007
【図６】
2008007535.tif 000008